【手続補正書】
【提出日】平成22年1月12日(2010.1.12)
【手続補正１】
【補正対象書類名】特許請求の範囲
【補正対象項目名】全文
【補正方法】変更
【補正の内容】
【特許請求の範囲】
【請求項１】
昇降路内でロープにより吊られた乗りかごと釣合いおもりが巻上機により駆動されるエレベーター装置において、前記乗りかごに設けられた吊り車と、前記乗りかごの床板下部に設けられ前記ロープの一端を固定する綱止め部と、前記乗りかごの床板側端部に設けられた第４の返し車と、前記釣合いおもりの上部に設けられた吊り車と、前記釣合いおもりの上部に設けられ前記ロープの他端を固定する綱止め部を備え、前記巻上機のシーブの鉛直投影が、前記乗りかごの鉛直投影と重ならず、前記巻上機の制動部の反シーブ側端の鉛直投影が、前記乗りかごの鉛直投影内に位置し、
前記昇降路の上部には、互いの鉛直投影が略平行な２つの返し車からなる第１の返し車と、互いの鉛直投影が略平行で前記第１の返し車の鉛直投影に対して傾斜するように配置される２つの第２の返し車及び前記２つの第２の返し車に対して略垂直な鉛直投影を有する１つの第２の返し車の３つの返し車からなる第２の返し車と、前記釣合いおもりの上部に設けられた第３の返し車とが設置され、前記第１の返し車と前記第２の返し車と前記第３の返し車は乗りかごよりも上方にあり、
前記ロープは、前記乗りかごの床板下部に設けられた綱止め部から前記第４の返し車を介して上方へ伸び、第１の返し車を介して下方へ方向転換し、前記乗りかごの吊り車を介して上方へ方向転換し、第２の返し車を介して前記巻上機のシーブに巻き掛けられて下方へ方向転換し、前記釣合いおもりの吊り車を介して上方へ方向転換し、第３の返し車を介して前記釣合いおもりの綱止め部に他端が固定されていることを特徴とするエレベーター装置。
【請求項２】
昇降路内でロープにより吊られた乗りかごと釣合いおもりが巻上機により駆動されるエレベーター装置において、前記乗りかごに設けられた吊り車と、前記乗りかごの床板下部に設けられ前記ロープの一端を固定する綱止め部と、前記乗りかごの床板側端部に設けられた第４の返し車と、前記釣合いおもりの上部に設けられた吊り車と、前記釣合いおもりの上部に設けられ前記ロープの他端を固定する綱止め部を備え、前記巻上機のシーブの鉛直投影が、前記乗りかごの鉛直投影と重ならず、前記巻上機の位置検出器の反シーブ側端の鉛直投影が、前記乗りかごの鉛直投影内に位置し、
前記昇降路の上部には、互いの鉛直投影が略平行な２つの返し車からなる第１の返し車と、互いの鉛直投影が略平行で前記第１の返し車の鉛直投影に対して傾斜するように配置される２つの第２の返し車及び前記２つの第２の返し車に対して略垂直な鉛直投影を有する１つの第２の返し車の３つの返し車からなる第２の返し車と、前記釣合いおもりの上部に設けられた第３の返し車とが設置され、前記第１の返し車と前記第２の返し車と前記第３の返し車は乗りかごよりも上方にあり、
前記ロープは、前記乗りかごの床板下部に設けられた綱止め部から前記第４の返し車を介して上方へ伸び、第１の返し車を介して下方へ方向転換し、前記乗りかごの吊り車を介して上方へ方向転換し、第２の返し車を介して前記巻上機のシーブに巻き掛けられて下方へ方向転換し、前記釣合いおもりの吊り車を介して上方へ方向転換し、第３の返し車を介して前記釣合いおもりの綱止め部に他端が固定されていることを特徴とするエレベーター装置。
【請求項３】
請求項１又は２のいずれかにおいて、前記巻上機は薄型であることを特徴とするエレベーター装置。
【請求項４】
請求項１又は２のいずれかにおいて、前記巻上機は胴長であることを特徴とするエレベーター装置。
【請求項５】
昇降路内でロープにより吊られた乗りかごと釣合いおもりが巻上機により駆動されるエレベーター装置において、前記乗りかごに設けられた吊り車と、前記乗りかごの側部に設けられ前記ロープの一端を固定する綱止め部と、前記釣合いおもりの上部に設けられた吊り車と、前記釣合いおもりの上部に設けられ前記ロープの他端を固定する綱止め部を備え、前記巻上機は胴長の巻上機であり、前記巻上機のシーブの鉛直投影が、前記乗りかごの鉛直投影と重ならず、前記巻上機の制動部の反シーブ側端の鉛直投影が、前記乗りかごの鉛直投影内に位置し、
前記昇降路の上部には、互いの鉛直投影が略平行な２つの返し車からなる第１の返し車と、互いの鉛直投影が略平行で前記第１の返し車の鉛直投影に対して傾斜するように配置される２つの第２の返し車及び前記２つの第２の返し車に対して略垂直な鉛直投影を有する１つの第２の返し車の３つの返し車からなる第２の返し車と、前記釣合いおもりの上部に設けられた第３の返し車とが設置され、前記第１の返し車と前記第２の返し車と前記第３の返し車は乗りかごよりも上方にあり、
前記ロープは、前記乗りかごの側部に設けられた綱止め部から上方へ伸び、第１の返し車を介して下方へ方向転換し、前記乗りかごの吊り車を介して上方へ方向転換し、第２の返し車を介して前記巻上機のシーブに巻き掛けられて下方へ方向転換し、前記釣合いおもりの吊り車を介して上方へ方向転換し、第３の返し車を介して前記釣合いおもりの綱止め部に他端が固定されていることを特徴とするエレベーター装置。
【請求項６】
昇降路内でロープにより吊られた乗りかごと釣合いおもりが巻上機により駆動されるエレベーター装置において、前記乗りかごに設けられた吊り車と、前記乗りかごの側部に設けられ前記ロープの一端を固定する綱止め部と、前記釣合いおもりの上部に設けられた吊り車と、前記釣合いおもりの上部に設けられ前記ロープの他端を固定する綱止め部を備え、前記巻上機は胴長の巻上機であり、前記巻上機のシーブの鉛直投影が、前記乗りかごの鉛直投影と重ならず、前記巻上機の位置検出器の反シーブ側端の鉛直投影が、前記乗りかごの鉛直投影内に位置し、
前記昇降路の上部には、互いの鉛直投影が略平行な２つの返し車からなる第１の返し車と、互いの鉛直投影が略平行で前記第１の返し車の鉛直投影に対して傾斜するように配置される２つの第２の返し車及び前記２つの第２の返し車に対して略垂直な鉛直投影を有する１つの第２の返し車の３つの返し車からなる第２の返し車と、前記釣合いおもりの上部に設けられた第３の返し車とが設置され、前記第１の返し車と前記第２の返し車と前記第３の返し車は乗りかごよりも上方にあり、
前記ロープは、前記乗りかごの側部に設けられた綱止め部から上方へ伸び、第１の返し車を介して下方へ方向転換し、前記乗りかごの吊り車を介して上方へ方向転換し、第２の返し車を介して前記巻上機のシーブに巻き掛けられて下方へ方向転換し、前記釣合いおもりの吊り車を介して上方へ方向転換し、第３の返し車を介して前記釣合いおもりの綱止め部に他端が固定されていることを特徴とするエレベーター装置。
【手続補正２】
【補正対象書類名】明細書
【補正対象項目名】０００６
【補正方法】変更
【補正の内容】
【０００６】
上記目的を達成するために、本発明は、昇降路内でロープにより吊られた乗りかごと釣合いおもりが巻上機により駆動されるエレベーター装置において、前記乗りかごに設けられた吊り車と、前記乗りかごの床板下部に設けられ前記ロープの一端を固定する綱止め部と、前記乗りかごの床板側端部に設けられた第４の返し車と、前記釣合いおもりの上部に設けられた吊り車と、前記釣合いおもりの上部に設けられ前記ロープの他端を固定する綱止め部を備え、前記巻上機のシーブの鉛直投影が、前記乗りかごの鉛直投影と重ならず、前記巻上機の制動部の反シーブ側端の鉛直投影が、前記乗りかごの鉛直投影内に位置し、前記昇降路の上部には、互いの鉛直投影が略平行な２つの返し車からなる第１の返し車と、互いの鉛直投影が略平行で前記第１の返し車の鉛直投影に対して傾斜するように配置される２つの第２の返し車及び前記２つの第２の返し車に対して略垂直な鉛直投影を有する１つの第２の返し車の３つの返し車からなる第２の返し車と、前記釣合いおもりの上部に設けられた第３の返し車とが設置され、前記第１の返し車と前記第２の返し車と前記第３の返し車は乗りかごよりも上方にあり、前記ロープは、前記乗りかごの床板下部に設けられた綱止め部から前記第４の返し車を介して上方へ伸び、第１の返し車を介して下方へ方向転換し、前記乗りかごの吊り車を介して上方へ方向転換し、第２の返し車を介して前記巻上機のシーブに巻き掛けられて下方へ方向転換し、前記釣合いおもりの吊り車を介して上方へ方向転換し、第３の返し車を介して前記釣合いおもりの綱止め部に他端が固定されているものである。
さらに本発明は、昇降路内でロープにより吊られた乗りかごと釣合いおもりが巻上機により駆動されるエレベーター装置において、前記乗りかごに設けられた吊り車と、前記乗りかごの床板下部に設けられ前記ロープの一端を固定する綱止め部と、前記乗りかごの床板側端部に設けられた第４の返し車と、前記釣合いおもりの上部に設けられた吊り車と、前記釣合いおもりの上部に設けられ前記ロープの他端を固定する綱止め部を備え、前記巻上機のシーブの鉛直投影が、前記乗りかごの鉛直投影と重ならず、前記巻上機の位置検出器の反シーブ側端の鉛直投影が、前記乗りかごの鉛直投影内に位置し、前記昇降路の上部には、互いの鉛直投影が略平行な２つの返し車からなる第１の返し車と、互いの鉛直投影が略平行で前記第１の返し車の鉛直投影に対して傾斜するように配置される２つの第２の返し車及び前記２つの第２の返し車に対して略垂直な鉛直投影を有する１つの第２の返し車の３つの返し車からなる第２の返し車と、前記釣合いおもりの上部に設けられた第３の返し車とが設置され、前記第１の返し車と前記第２の返し車と前記第３の返し車は乗りかごよりも上方にあり、前記ロープは、前記乗りかごの床板下部に設けられた綱止め部から前記第４の返し車を介して上方へ伸び、第１の返し車を介して下方へ方向転換し、前記乗りかごの吊り車を介して上方へ方向転換し、第２の返し車を介して前記巻上機のシーブに巻き掛けられて下方へ方向転換し、前記釣合いおもりの吊り車を介して上方へ方向転換し、第３の返し車を介して前記釣合いおもりの綱止め部に他端が固定されているものである。
【手続補正３】
【補正対象書類名】明細書
【補正対象項目名】０００７
【補正方法】変更
【補正の内容】
【０００７】
さらに本発明は、昇降路内でロープにより吊られた乗りかごと釣合いおもりが巻上機により駆動されるエレベーター装置において、前記乗りかごに設けられた吊り車と、前記乗りかごの側部に設けられ前記ロープの一端を固定する綱止め部と、前記釣合いおもりの上部に設けられた吊り車と、前記釣合いおもりの上部に設けられ前記ロープの他端を固定する綱止め部を備え、前記巻上機は胴長の巻上機であり、前記巻上機のシーブの鉛直投影が、前記乗りかごの鉛直投影と重ならず、前記巻上機の制動部の反シーブ側端の鉛直投影が、前記乗りかごの鉛直投影内に位置し、前記昇降路の上部には、互いの鉛直投影が略平行な２つの返し車からなる第１の返し車と、互いの鉛直投影が略平行で前記第１の返し車の鉛直投影に対して傾斜するように配置される２つの第２の返し車及び前記２つの第２の返し車に対して略垂直な鉛直投影を有する１つの第２の返し車の３つの返し車からなる第２の返し車と、前記釣合いおもりの上部に設けられた第３の返し車とが設置され、前記第１の返し車と前記第２の返し車と前記第３の返し車は乗りかごよりも上方にあり、前記ロープは、前記乗りかごの側部に設けられた綱止め部から上方へ伸び、第１の返し車を介して下方へ方向転換し、前記乗りかごの吊り車を介して上方へ方向転換し、第２の返し車を介して前記巻上機のシーブに巻き掛けられて下方へ方向転換し、前記釣合いおもりの吊り車を介して上方へ方向転換し、第３の返し車を介して前記釣合いおもりの綱止め部に他端が固定されているものである。
さらに本発明は、昇降路内でロープにより吊られた乗りかごと釣合いおもりが巻上機により駆動されるエレベーター装置において、前記乗りかごに設けられた吊り車と、前記乗りかごの側部に設けられ前記ロープの一端を固定する綱止め部と、前記釣合いおもりの上部に設けられた吊り車と、前記釣合いおもりの上部に設けられ前記ロープの他端を固定する綱止め部を備え、前記巻上機は胴長の巻上機であり、前記巻上機のシーブの鉛直投影が、前記乗りかごの鉛直投影と重ならず、前記巻上機の位置検出器の反シーブ側端の鉛直投影が、前記乗りかごの鉛直投影内に位置し、前記昇降路の上部には、互いの鉛直投影が略平行な２つの返し車からなる第１の返し車と、互いの鉛直投影が略平行で前記第１の返し車の鉛直投影に対して傾斜するように配置される２つの第２の返し車及び前記２つの第２の返し車に対して略垂直な鉛直投影を有する１つの第２の返し車の３つの返し車からなる第２の返し車と、前記釣合いおもりの上部に設けられた第３の返し車とが設置され、前記第１の返し車と前記第２の返し車と前記第３の返し車は乗りかごよりも上方にあり、前記ロープは、前記乗りかごの側部に設けられた綱止め部から上方へ伸び、第１の返し車を介して下方へ方向転換し、前記乗りかごの吊り車を介して上方へ方向転換し、第２の返し車を介して前記巻上機のシーブに巻き掛けられて下方へ方向転換し、前記釣合いおもりの吊り車を介して上方へ方向転換し、第３の返し車を介して前記釣合いおもりの綱止め部に他端が固定されているものである。
【手続補正４】
【補正対象書類名】明細書
【補正対象項目名】００２９
【補正方法】変更
【補正の内容】
【００２９】
１…乗りかご、２…かごドア、３…かご上枠、４，１５，１９…綱止め部、５…ロープ、６…ロープガイド装置、７ａ，７ｂ…第１の返し車、８，８ａ，１３，１３ａ…吊り車、９ａ，９ｂ，９ｃ…第２の返し車、１０…薄型巻上機、１１，２４…駆動シーブ、１２…釣合いおもり、１４…第３の返し車、１６ａ，１６ｂ…乗りかごガイドレール、１７ａ，１７ｂ…釣合いおもりガイドレール、１８…昇降路壁、２０…第４の返し車、２１，２５…制動部、２２，２６…位置検出器、２３…胴長巻上機。